(57)【要約】【課題】収容物の持ち運びの際の水平姿勢を保持すると共にホールド性を高めて利便性・快適性を向上させることができるようにする。【解決手段】対向する側壁部２，２とこれら対向する側壁部２，２それぞれの下端と連接すると共にこれら対向する側壁部２，２に挟まれて底部を構成するガセット部１と、当該ガセット部１及び対向する側壁部２，２と連接してガセット部１の山折り稜線１ａの方向Ｘの一方の側に延出する把手部３及び他方の側に延出するホールド部４と、把手部３の端部の封止部３ａと、ホールド部４の端部の封止部４ａと、対向する側壁部２，２それぞれの上端と連接して対向するカバー部６，６とを有するようにした。【選択図】図１
2014136602.tif 000002
【特許請求の範囲】
【請求項１】
対向する側壁部とこれら対向する側壁部それぞれの下端と連接すると共にこれら対向する側壁部に挟まれて底部を構成するガセット部と、当該ガセット部及び前記対向する側壁部と連接して前記ガセット部の山折り稜線の方向の一方の側に延出する把手部及び他方の側に延出するホールド部と、前記把手部の端部の封止部と、前記ホールド部の端部の封止部と、前記対向する側壁部それぞれの上端と連接して対向するカバー部とを有することを特徴とする水平保持手提げ袋。
【請求項２】
前記カバー部の上端が封止されていることを特徴とする請求項１記載の水平保持手提げ袋。
【請求項３】
前記カバー部がガセットとして構成されていることを特徴とする請求項１記載の水平保持手提げ袋。
【請求項４】
前記カバー部よりも前記把手部の方が前記ガセット部の山折り稜線の方向の寸法が長いことを特徴とする請求項１記載の水平保持手提げ袋。
【請求項５】
前記ホールド部の封止部に当該封止部を切断して設けられる切り欠き、或いは、前記ホールド部の封止部寄りの位置に孔を更に有することを特徴とする請求項１記載の水平保持手提げ袋。
【請求項６】
筒型原反素材の軸直角断面において対向する位置に二つのガセット部を形成し、また、前記各ガセット部部分に前記ガセット部の山折り稜線の方向と直交する方向の封止部を前記ガセット部の山折り稜線の方向において離間させて形成し、そして、前記ガセット部の山折り稜線の方向において離間する部分であって対向する前記ガセット部の山折り稜線の一部を少なくとも含む部分を切り取り、さらに、対向する前記ガセット部同士の間に残された部分を、前記二つのガセット部が互いに分離するように切断することを特徴とする水平保持手提げ袋の製造方法。
【発明の詳細な説明】
【技術分野】
【０００１】
本発明は水平保持手提げ袋及び水平保持手提げ袋の製造方法に関する。さらに詳述すると、本発明は、例えば弁当・惣菜・汁物やケーキ・スイーツなどの提供に用いられる包装容器の持ち運びに用いる手提げ袋に適用して好適な構造及び製造方法に関する。
【０００２】
ポリエチレンなどで作られて例えば弁当・惣菜・汁物やケーキ・スイーツなどが詰められる天地無用の包装容器を持ち運ぶ際の袋として、その形状からＵバッグとも、使用場面からレジ袋ともコンビニ袋とも言われる手提げ袋が使用される場合が多い。
【０００３】
上記の包装容器と手提げ袋との組み合わせの場合、持ち運びに際して袋の中に収容した容器の袋の中での位置を固定し、水平姿勢を保持するのが非常に困難であった。
【０００４】
その原因として、従来の手提げ袋の下端には側壁同士が綴じられる熱融着封止部があり、把手と下端の熱融着封止部との間の引っ張り力の作用方向の関係で下端の熱融着封止部で折れて側壁同士が閉じ合わされ易くなっており、底部が折れ曲がって畳まれようとする傾向が強い。そして、このように袋としては底部が折れ曲がって畳まれようとする傾向が強いので、袋の中の容器の水平姿勢を保持するための袋の大きさと容器の大きさとのフィッティング範囲（言い換えると、組み合わせの好適範囲）が限定的であって狭い。それにもかかわらず、従来の手提げ袋は、下端の熱融着封止部の幅(長さ)で規定される袋の横幅や、襠（ガセットとも呼ばれる）を含めた袋の胴回り(胴囲)の大きさが袋個々の設計上の特定値に固定されており、袋の大きさと容器の大きさとの組み合わせが水平姿勢を保持するための好適範囲を外れることが多い。そして、袋と容器との組み合わせが好適範囲を少しでも外れると、歩行時の振動による重心移動が容器に生じたり袋の外側から運搬者の足が当たるなどの外力が容器に加わったりすることにより、袋の中で容器が容易に大きく傾き、最終的には袋底部の熱融着封止線上に容器の一側面が沿う形で容器が袋の中で垂直姿勢になってしまうという問題があった。
【０００５】
また、複数の容器が積み重ねられて袋の中に収容された場合に、袋の特に側壁及び底部が容器の概ね全面に亘って接触・密着することによる、容器の積み重ね状態を含む容器の姿勢保持性（ホールド性）が十分ではなく、袋の中での容器の積み重ね状態を含む容器の姿勢が安定せず、例えば、積み重ねられた上側の容器がずれて落ちてしまうという問題もあった。
【０００６】
このように、好適範囲に入っていない手提げ袋と容器との組み合わせで使用されたり、また、複数の容器が積み重ねられて収容されて使用されたりした場合に、袋の中で容器が傾斜したり、積み重ねられた上側の容器がずれて落ちたりしてしまい、容器の内容物が片寄ることで盛り付けの美観を損ねたり異なる料理の混合が起こったり、また、ソースなどの液状内容物が漏れこぼれたりするなどの不都合が生じ、利便性・快適性が高いとは言えないという問題がある。
【０００７】
あるいは、袋の中の容器の水平姿勢を保持するために袋の大きさと容器の大きさとの組み合わせの好適範囲を守るようにすると、組み合わせの好適範囲は狭いので、設計上の特定値を有する個々の袋としては汎用性が高いとは言えないという問題がある。
【０００８】
上述のような問題のうち特に袋の中で容器が傾斜してしまうことを解決する為、以下の先行技術では、袋の中に収容した容器の水平姿勢保持の仕組みが提案されている。
【０００９】
具体的には、特許文献１のレジ袋は、袋の中に容器を収容したときの底部となる部分の四隅に水平孔を設け、レジ袋の中に容器を収容したときに当該容器の四隅が前記水平孔に嵌って保持されるようにしている。
【００１０】
また、特許文献２のレジ袋は、周壁(側壁)の、袋の中に容器を収容したときの容器の縁の位置に切れ目，凹凸，針孔を設け、レジ袋の中に容器を収容したときに当該容器の縁が前記切れ目等に引っ掛かって保持されるようにしている。
【先行技術文献】
【特許文献】
【００１１】
【特許文献１】実用新案登録第３１４６３５３号
【特許文献２】特開２０１０−２８５１７０号
【発明の概要】
【発明が解決しようとする課題】
【００１２】
しかしながら、特許文献１の仕組みでは、使用される手提げ袋は中に収容する容器のサイズ違いや形状違いに対応する汎用性に欠け、容器のサイズや形状毎にそれぞれ専用の手提げ袋を用意しなければならないという問題がある。
【００１３】
また、特許文献２の仕組みでは、手提げ袋の中に収容する容器のサイズ違いに対応する汎用性を確保する為には手提げ袋に孔となる切れ目を相当数設けなくてはならないことから、手提げ袋の引っ張り強度確保と容器のサイズ違いに対応する汎用性確保とがトレードオフの関係になり、汎用性を高めようとすると引っ張り強度が低下してしまうという問題がある。さらに、縁が無いなど容器の形状によっては、手提げ袋の孔となる切れ目が全く機能しない場合があり得るという問題がある。
【００１４】
また、特許文献１及び特許文献２のいずれの仕組みにおいても、袋の胴囲は容器の胴囲を上回る必要があるため、例えば大盛弁当などのように大きな平面面積を有する容器を収容する際にはそれ一品のみの収容でも大きいサイズの袋を使用しなければならず、袋の材料資源の無駄やコストの上昇にも繋がるという問題がある。
【００１５】
また、特許文献１及び特許文献２のいずれの仕組みにおいても、袋の特に側壁及び底部が容器の概ね全面に亘って接触・密着して容器を覆い囲むようにして保持する（ホールドする）ものではないため、袋が容器を覆い囲って接触・密着することによる保持性（ホールド性）が十分ではないという問題がある。
【００１６】
そこで、本発明は、収容物の持ち運びの際の水平姿勢を保持すると共にホールド性を高めて利便性・快適性を向上させることができると共に、手提げ用具としての引っ張り強度を確保することができ、さらに、収容物のサイズ違い及び形状違いに対応し得ると共に収容物の形状に関係なく当該収容物の水平姿勢保持機能を発揮し得る高い汎用性を持たせることができる手提げ袋及びその製造方法を提供することを目的とする。
【課題を解決するための手段】
【００１７】
かかる目的を達成するため、本発明の水平保持手提げ袋は、対向する側壁部とこれら対向する側壁部それぞれの下端と連接すると共にこれら対向する側壁部に挟まれて底部を構成するガセット部と、当該ガセット部及び前記対向する側壁部と連接して前記ガセット部の山折り稜線の方向の一方の側に延出する把手部及び他方の側に延出するホールド部と、前記把手部の端部の封止部と、前記ホールド部の端部の封止部と、前記対向する側壁部それぞれの上端と連接して対向するカバー部とを有するようにしている。
【００１８】
したがって、この水平保持手提げ袋によると、底部には封止部が無いようにすることができ、また、底部に封止部がたとえ設けられたとしても、中に物を収容した際の袋の形状が底部の封止部の寸法に影響を受けることが全く無い若しくは殆ど無いので、収容物のサイズや形状に対応・適合し密着して収容・包装することができ、持ち運び時の手提げ袋に対する収容物の位置が固定され水平姿勢が保持されると共に収容物の多様なサイズや形状に対応することができ、また、ホールド性が高まるので収容物の積み重ね状態を含む収容物の姿勢を保持し安定させることができる。しかも、周壁(側壁)に切れ目，凹凸，針孔などを設けることが無いので、手提げ袋としての強度が損なわれることが無いと共に、収容物の形状に関係なく当該収容物の水平姿勢保持機能が発揮される。
【００１９】
また、本発明の水平保持手提げ袋は、前記カバー部の上端が封止されているようにしても良い。この場合には、カバー部が袋の外方に開いてしまうことがないので、袋の中に収容した物がより一層確実に覆われて囲われるようになる。
【００２０】
また、本発明の水平保持手提げ袋は、前記カバー部がガセットとして構成されているようにしても良い。この場合には、使用をする際にカバー部のガセット部を拡げたときのカバー部の高さ方向の寸法を大きくすることができる一方で保管時など袋を折り畳んだ状態の大きさが小さくなる。
【００２１】
また、本発明の水平保持手提げ袋は、前記カバー部よりも前記把手部の方が前記ガセット部の山折り稜線の方向の寸法が長いようにしても良い。この場合には、収容物の姿勢を水平にする、手提げ袋の使用時の形態が容易且つ適切に達成される。
【００２２】
また、本発明の水平保持手提げ袋は、前記ホールド部の封止部に当該封止部を切断して設けられる切り欠き、或いは、前記ホールド部の封止部寄りの位置に孔を更に有するようにしても良い。この場合には、ホールド部の切り欠き或いは孔に把手部を通すことにより、把手部がホールド部に通されて組み合わされた状態が維持されるので、例えば、袋の中に物を収容した状態で袋を一旦置いてからまた持ち上げる際などに袋の状態を整える手間などがかからない。
【００２３】
また、本発明の水平保持手提げ袋の製造方法は、筒型原反素材の軸直角断面において対向する位置に二つのガセット部を形成し、また、各ガセット部部分にガセット部の山折り稜線の方向と直交する方向の封止部をガセット部の山折り稜線の方向において離間させて形成し、そして、ガセット部の山折り稜線の方向において離間する部分であって対向するガセット部の山折り稜線の一部を少なくとも含む部分を切り取り、さらに、対向するガセット部同士の間に残された部分を、二つのガセット部が互いに分離するように切断するようにしている。
【００２４】
この水平保持手提げ袋の製造方法によると、底部には封止部が無いようにすることができるので、また、底部に封止部がたとえ設けられたとしても、中に物を収容した際の袋の形状が底部の封止部の寸法に影響を受けることが全く無い若しくは殆ど無いので、収容物のサイズや形状に対応・適合し密着して収容・包装することができ、持ち運び時の手提げ袋に対する収容物の位置が固定され水平姿勢が保持されると共に収容物の多様なサイズや形状に対応することができ、また、ホールド性が高まるので容器の積み重ね状態を含む容器の姿勢を保持し安定させるという作用効果を奏する手提げ袋が製造される。しかも、周壁(側壁)に切れ目，凹凸，針孔などを設けることが無いので、手提げ袋としての強度が損なわれることが無いと共に、収容物の形状に関係なく当該収容物の水平姿勢保持機能が発揮されるという作用効果を奏する手提げ袋が製造される。
【発明の効果】
【００２５】
本発明の水平保持手提げ袋及び水平保持手提げ袋の製造方法によれば、制約がない無段階の適合構造を実現して持ち運び時の手提げ袋に対する収容物の位置を固定し水平姿勢を保持することができるので、利便性・快適性の向上を図ることが可能になる。また、収容物の多様なサイズや形状に対応することができるので、汎用性の向上を図ることが可能になる。さらに、ホールド性を高め、収容物の積み重ね状態を含む収容物の姿勢を保持・安定させることができるので、この点からも利便性・快適性の向上を図ることが可能になる。しかも、周壁(側壁)に切れ目，凹凸，針孔などを設けることが無く強度が損なわれることが無いので、手提げ袋としての強度を確保することが可能になる。さらに、収容物の形状に関係なく当該収容物の水平姿勢保持機能を発揮することができるので、この点からも汎用性の向上を図ることが可能になる。
【００２６】
また、本発明の水平保持手提げ袋はカバー部の上端を封止するようにしても良く、この場合には、袋の中に収容した物をより一層確実に覆って囲うことができるので、収容物の落下を防いだり被覆性を高めたりして使用の利便性・快適性を向上させることが可能になる。
【００２７】
また、本発明の水平保持手提げ袋はカバー部をガセットとして構成するようにしても良く、この場合には、使用時のカバー部の高さ寸法を大きくする一方で保管時など折り畳んだ状態の大きさを小さくすることができるので、使用時における大容量を確保しつつ保管時のコンパクト化を達成することが可能になる。
【００２８】
また、本発明の水平保持手提げ袋はカバー部よりも把手部の方が長いようにしても良く、この場合には、収容物の姿勢を水平にするような手提げ袋の使用時の形態を容易且つ適切に達成することができるので、収容物の水平姿勢保持をより一層確実にして使用の利便性・快適性を向上させることが可能になる。
【００２９】
また、本発明の水平保持手提げ袋はホールド部に切り欠きや孔を設けるようにしても良く、この場合には、切り欠きや孔を通して組み合わせることで把手部とホールド部との組み合わせ状態を維持することができるので、収容物の水平姿勢を保持するための袋の取り扱いを容易にすると共に収容物の水平姿勢保持をより一層確実にして使用の利便性・快適性を向上させることが可能になる。
【図面の簡単な説明】
【００３０】
【図１】本発明の水平保持手提げ袋の実施形態の一例を示す図であり、折り畳んだ状態の正面図である。
【図２】実施形態の水平保持手提げ袋の側壁部を互いに引き離した状態の正面俯瞰図である。
【図３】実施形態の水平保持手提げ袋の側壁部を互いに引き離して内部に容器を収容した状態の平面図である。
【図４】実施形態の水平保持手提げ袋の内部に容器を収容して把手を持ち上げた状態（即ち、使用状態）の側面斜視図である。
【図５】実施形態の水平保持手提げ袋の製造時の裁断・切断加工を説明する図である。
【図６】本発明の効果を従来の手提げ袋と対比して説明するための従来の手提げ袋に関する説明の図である。（Ａ）は従来の手提げ袋における引っ張り力が作用する方向を説明する図である。（Ｂ）は従来の手提げ袋における包装・吊り態様を説明する図である。
【図７】本発明の効果を従来の手提げ袋と対比して説明するための本発明の手提げ袋に関する説明の図である。（Ａ）は本発明の手提げ袋における引っ張り力が作用する方向を説明する図である。（Ｂ）は本発明の手提げ袋における包装・吊り態様を説明する図である。
【図８】本発明の水平保持手提げ袋の他の実施形態の一例を示す図であり、折り畳んだ状態の正面図である。
【図９】本発明の水平保持手提げ袋の更に他の実施形態の一例を示す図であり、折り畳んだ状態の正面図である。
【図１０】本発明の水平保持手提げ袋のまた更に他の実施形態の一例を示す図であり、折り畳んだ状態の正面図である。
【図１１】本発明の水平保持手提げ袋のまた更に他の実施形態の一例を示す図であり、折り畳んだ状態の正面図である。
【図１２】本発明の水平保持手提げ袋のまた更に他の実施形態の一例を示す図であり、折り畳んだ状態の正面図である。
【図１３】本発明の水平保持手提げ袋のまた更に他の実施形態の一例を示す図であり、正面斜視図である。
【発明を実施するための形態】
【００３１】
以下、本発明の構成を図面に示す実施の形態の一例に基づいて詳細に説明する。
【００３２】
図１から図７に、本発明の水平保持手提げ袋及び水平保持手提げ袋の製造方法の実施形態の一例を示す。この水平保持手提げ袋１０は、対向する側壁部２，２とこれら対向する側壁部２，２それぞれの下端と連接すると共にこれら対向する側壁部２，２に挟まれて底部を構成するガセット部１と、当該ガセット部１及び対向する側壁部２，２と連接してガセット部１の山折り稜線１ａの方向Ｘの一方の側に延出する把手部３及び他方の側に延出するホールド部４と、把手部３の端部の封止部３ａと、ホールド部４の端部の封止部４ａと、対向する側壁部２，２それぞれの上端と連接して対向するカバー部６，６とを有する。
【００３３】
水平保持手提げ袋１０の材質は、特定の素材に限定されるものではなく、例えばポリエチレン，ポリエステル，ポリスチレン，ポリプロピレン，ナイロン，パルプ，不織布，麻，綿などの中から使用場面や想定される収容物などを考慮して適宜選択される。
【００３４】
側壁部２，２は、図１に示すように把手部３上端の把手部自由端３ｂ及びホールド部４上端のホールド部自由端４ｂが閉じられて水平保持手提げ袋１０が折り畳まれた状態（以下、手提げ袋１０の折り畳み状態と呼ぶ）において正面と裏面とで対向するものとして構成され、図２に示すように把手部自由端３ｂ及びホールド部自由端４ｂが開かれて水平保持手提げ袋１０内に容器等が入れられる状態（以下、手提げ袋１０の収容待機状態と呼ぶ）において対向しつつ手提げ袋１０としての側壁を構成する。
【００３５】
ガセット部１は、図１に示す手提げ袋１０の折り畳み状態において対向する側壁部２，２（正面，裏面）に挟まれ山・谷を形成して折り畳まれ、また、図２に示す手提げ袋１０の収容待機状態において手提げ袋１０の底部を構成する。なお、本実施形態ではガセット部１は一つの山とこの山の両側の側壁部２，２との間の二つの谷とからなるようにしているが、ガセット部１の山・谷の個数はこれに限られるものではない。
【００３６】
ガセット部１と側壁部２の下端とは、対向する側壁部２，２に挟まれるガセット部１の山折り稜線１ａの方向Ｘ（以下、ガセット稜線方向Ｘと呼ぶ）と直交する方向で連接する。
【００３７】
そして、ガセット部１によって構成される底部と、側壁部２，２によって構成される側壁とにより、水平保持手提げ袋１０の収容空間５が形成される。
【００３８】
把手部３は、ガセット部１及び側壁部２，２のガセット稜線方向Ｘの一方の側に、ガセット部１及び側壁部２，２とガセット稜線方向Ｘにおいて連接して設けられる。そして、把手部３の、ガセット部１や側壁部２とは連接していない側（言い換えると、ガセット稜線方向Ｘにおいて側壁部２とは反対側）の端部に、材質も考慮して例えば熱融着や接着或いは縫製することによって封止部３ａが形成される。
【００３９】
ホールド部４は、ガセット部１及び側壁部２，２のガセット稜線方向Ｘにおける把手部３とは反対の側に、ガセット部１及び側壁部２，２とガセット稜線方向Ｘにおいて連接して設けられる。そして、ホールド部４の、ガセット部１や側壁部２とは連接していない側（言い換えると、ガセット稜線方向Ｘにおいて側壁部２とは反対側）の端部に、材質も考慮して例えば熱融着や接着或いは縫製することによって封止部４ａが形成される。
【００４０】
本実施形態では、ガセット稜線方向Ｘにおいて、把手部３の方がホールド部４よりも長い。ただし、把手部３とホールド部４とが同じ長さであるようにしても良い。なお、本実施形態のように把手部３をホールド部４よりも長くする場合には、後述するようにホールド部４に把手部３を通して収容物を覆い囲う際の収容物の姿勢を水平にするような手提げ袋１０の使用の形態が容易且つ適切に達成される。
【００４１】
また、把手部３部分及びホールド部４部分のうち封止部３ａ，４ａ寄りの部分ではガセット部１と連接して延出する部分のうち山折り稜線１ａ部分が切り取られ、これによってこの切り取られた部分にそれぞれ穴部３ｃ，４ｃが形成される。
【００４２】
なお、把手部３やホールド部４では、対向するもののうち一方の側壁部２から連接して延出する部分とガセット部１から連接して延出する部分とが対向しており、さらに、これらの部分の組み合わせ（正面側の組み合わせ，裏面側の組み合わせ）が対向している。
【００４３】
また、把手部３及びホールド部４のうち、ガセット部１から連接して延出する部分で穴部３ｃ，４ｃではない部分（すなわち、側壁部２寄りの部分）では山折り稜線１ａは残され、また、側壁部２から連接して延出する部分については上端が開口している（開口端３ｂ，４ｂ）。
【００４４】
そして、本実施形態では、ガセット部１には熱融着などによる封止部が形成されないので、底部には封止線・封止部を有しない構造として構成される。ただし、底部に封止線・封止部を有しないように構成することは本発明において必須の要件ではない。
【００４５】
カバー部６，６は、対向する側壁部２，２それぞれの上端から、言い換えると、側壁部２，２のガセット稜線方向Ｘと直交する方向におけるガセット部１と連接する側とは反対の側に、対向する側壁部２，２それぞれから、ガセット稜線方向Ｘと直交する方向において連接して延出し、対向して設けられる。
【００４６】
そして、本実施形態では、カバー部６の上端（言い換えると、ガセット稜線方向Ｘと直交する方向における側壁部２とは反対側の端部）に、材質も考慮して例えば熱融着や接着或いは縫製することによって封止部６ａが形成される。ただし、カバー部６上端が封止されて封止部６ａが形成されることは、本発明の水平保持手提げ袋において必須の構成ではなく、カバー部６の上端に封止部が形成されずに自由端（開口端）であるようにしても良い。なお、カバー部６の側端、言い換えると、カバー部６のガセット稜線方向Ｘにおける両端は自由端（開口端）である。
【００４７】
また、カバー部６が、手提げ袋１０の折り畳み状態において対向する側壁部２，２から延出する部分に挟まれ山・谷を形成して折り畳まれるガセット部を伴うものとして形成されるようにしても良い。この場合には、手提げ袋１０の折り畳み状態におけるカバー部６部分の大きさが抑制されながらも、使用時においてはカバー部６の高さ寸法が十分に確保される。
【００４８】
なお、水平保持手提げ袋１０の全体の大きさ及びガセット部１，側壁部２，把手部３，ホールド部４，カバー部６の各方向寸法は、特定の大きさ・値に限定されるものではなく、想定される用途や収容物の形状，大きさ，個数などに合わせて適宜調整される。
【００４９】
上述の水平保持手提げ袋１０は、例えば、ポリエチレンの筒型原反素材を用いて製造される。
【００５０】
本実施形態の水平保持手提げ袋１０の製造方法は、筒型原反素材１５の軸直角断面において対向する位置に二つのガセット部１，１を形成し、また、これらガセット部１，１によって筒型原反素材１５を折り畳んだ状態においてこれらガセット部１，１の山折り稜線１ａ，１ａ寄りの位置に離間させて山折り稜線１ａの方向Ｘの封止部６ａ，６ａを形成すると共に各ガセット部１部分に山折り稜線１ａの方向Ｘと直交する方向の封止部３ａ，４ａを山折り稜線１ａの方向Ｘにおいて離間させて形成し、そして、山折り稜線１ａの方向Ｘにおいて離間する部分であって対向するガセット部１，１の山折り稜線１ａ，１ａの一部を少なくとも含む部分１６Ａ，１６Ａを切り取り、さらに、対向するガセット部１，１同士の間に残された部分を、二つガセット部１，１が互いに分離するように切断するようにしている。
【００５１】
そして、本実施形態では、以下に述べる方法により、点対称の位置関係で一対の水平保持手提げ袋１０が製造される。
【００５２】
具体的には、図５に示すように、筒型原反素材１５の軸直角断面おいて対向する位置に、山折り稜線１ａが筒軸心方向になるように筒軸心に対して山・谷を形成して折られる二つのガセット部１，１が予め形成される。そして、筒型原反素材１５は内側に山同士が対向してガセット部１，１が折り畳まれた状態で平らに均される。
【００５３】
次に、ガセット部１，１が形成され折り畳まれて平らにされた筒型原反素材１５に、点対称の位置関係になる相手方の手提げ袋１０のガセット部１の山折り稜線１ａ寄りの部分（山折り稜線１ａにほぼ隣接する部分）の側壁部２に該当する範囲にカバー部６の封止部６ａが筒軸心方向に熱融着によって形成される。なお、点対称の位置関係にある手提げ袋１０のお互いのカバー部６の封止部６ａは、ガセット稜線方向Ｘにおいて重複する範囲には形成されない。
【００５４】
さらに、ガセット部１が形成されている部分に把手部３の封止部３ａ及びホールド部４の封止部４ａが所定の間隔（即ち、手提げ袋１０のガセット稜線方向Ｘの寸法Ｌに基づく間隔）且つ側壁部２との所定の位置関係で（即ち、把手部３及びホールド部４がそれぞれ所定の寸法になるように）筒軸心方向と直交する方向に熱融着によって形成される。
【００５５】
続いて、筒型原反素材１５が、把手部３の封止部３ａ及びホールド部４の封止部４ａ位置において、筒軸心方向の所定の寸法（即ち、手提げ袋１０のガセット稜線方向Ｘの寸法Ｌ）で筒軸心方向と直交する方向に切断される（図５における切断線１７，１７）。なお、図５に示す例では、筒軸心方向の寸法Ｌで切断された原形１５ａから、この原形１５ａの中心点に対して前述の通り点対称の位置関係で一対の手提げ袋１０が製造される。
【００５６】
次に、筒軸心方向の寸法Ｌで切断された原形１５ａを所定枚数重ねて把手部３及びホールド部４並びにカバー部６の形成のための裁断を行う。裁断によって切り取られる両端切取部分（図５において符号１６Ａの斜線部分）は、原形１５ａの筒軸心方向（即ち、筒型原反素材１５の筒軸心方向であってガセット稜線方向Ｘである）の両端部分において、ガセット部１の山折り稜線１ａの一部を少なくとも含む範囲に設定される。また、中央切取部分（図５において符号１６Ｂの斜線部分）は、点対称の位置関係にある一対の手提げ袋１０のカバー部６同士の間であってカバー部６の封止部６ａに達し且つガセット部１に達しない範囲に設定される。なお、中央切取部分１６Ｂは、一対の手提げ袋１０のカバー部６同士を分離するためのものであるので、部分(範囲)として裁断するのではなく、単に線状に切断するようにしても良い。
【００５７】
このようにガセット部１の山折り稜線１ａの一部を含むように両端切取部分１６Ａを設定して切り取ることにより、切り取られた部分を穴部３ｃ，４ｃとするループ状の把手部３及びホールド部４が形成される。
【００５８】
最後に、カバー部６を点対称の位置関係にある相手方の手提げ袋１０から切り離すために、そして、点対称の位置関係にある手提げ袋１０各々がガセット部１を一つずつ有するように、両端切取部分１６Ａ及び中央切取部分１６Ｂに繋かり且つカバー部６の封止部６ａと相手方の手提げ袋１０のガセット部１の山折り稜線１ａとの間の位置（二箇所）で切断される（図５における切断線１８，１８）。以上により、水平保持手提げ袋１０が完成する。
【００５９】
筒型原反素材１５を用いて上述のように水平保持手提げ袋１０を製造することにより、筒型原反素材１５上に手提げ袋１０を効率良くレイアウトすることができ、袋の材料資源やコストの無駄を省くことができる。そして、本実施形態のように、ガセット稜線方向Ｘにおいて把手部３の方がホールド部４よりも長いようにすると、一対の手提げ袋１０を点対称の位置関係でお互いのカバー部６の位置をずらして噛み合わせるように配置させることができ、筒軸心方向の寸法Ｌの原形１５ａから無駄なくガセット稜線方向Ｘの寸法がＬである二つの手提げ袋１０を製造することができる。ただし、上述の手提げ袋１０の製造方法・製造工程は一例であり、本発明の水平保持手提げ袋の製造方法が上述のものに限定されるわけではない。
【００６０】
上述の水平保持手提げ袋１０は、具体的には例えば図２乃至図４に示すように使用される。まず、図２に示すように、カバー部６の封止部６ａを上側にして対向するカバー部６，６を互いに引き離すと共に対向する側壁部２，２を互いに引き離し、また、ガセット部１を拡げる。これにより、上方がカバー部６に、側方（正面，裏面）がカバー部６及び側壁部２，２に、下方がガセット部１にそれぞれ覆われて囲われる収容空間５が形成される。
【００６１】
そして、図３に示すように、例えば弁当容器のような容器１１などを、カバー部６の下方に入れ込むようにしながら収容空間５に収容する（ガセット部１上に載置する）。このとき、図３に示す例のように容器１１の平面縦横の寸法が異なる場合には、容器１１の平面長軸方向がガセット稜線方向Ｘと直交するように配置することが好ましい。
【００６２】
なお、カバー部６の上端に封止部６ａが形成されていない場合には、対向するカバー部６，６をそれぞれ側壁部２，２の外方に開いて容器１１などを収容空間５に収容し（ガセット部１上に載置し）、それから二つのカバー部６，６を容器１１に載せるようにして覆うようにする。
【００６３】
このとき、容器１１は、下方は底部としてのガセット部１によって、側方（正面，裏面）は側壁としての側壁部２，２及びカバー部６によって、上方もカバー部６によって、それぞれ支えられ覆われ囲われて確実に収容・保持される。そして、このように全方位（全方面）に亘って覆い囲うことができるので、例えば小袋入り調味料或いはスプーンやフォークなどの小物を容器１１と一緒に収容した場合にこのような小物が手提げ袋１０から零れ出て落ちてしまうことがなく、また、例えば総菜の汁などの液体が容器１１から漏れてしまった場合にこのような液体が手提げ袋１０から漏れ出てしまうことがない。
【００６４】
そして、把手部３の封止部３ａをホールド部４の開口端４ｂ側から穴部４ｃへと挿入し、ホールド部４を構成している対向する側壁部２・ガセット部１からの延出部分（表面側）と側壁部２・ガセット部１からの延出部分（裏面側）との間を通過させてこれら側壁部２・ガセット部１からの延出部分の下端側から引き出し、把手部３のみを掴んで持ち上げて水平保持手提げ袋１０を使用する（図１において、符号１２の一点鎖線及び点線は把手部３の封止部３ａの移動の軌跡を示す）。なお、把手部３は、穴部３ｃを握り掴んで持つようにする。
【００６５】
このとき、穴部３ｃを使って把手部３を掴んで持ち上げることによって容器１１の自重で水平保持手提げ袋１０の底部及び側壁のサイズ・形状は自動調整され、手提げ袋１０の底部（即ち、ガセット部１）並びに周壁（即ち、側壁部２，２、把手部３、ホールド部４）が容器１１の底面及び側面に密着し、容器１１が確実に固定されて水平が保持される。
【００６６】
さらに、ホールド部４の穴部４ｃを通る把手部３を持ち上げる構造であることから、容器１１が自重によって手提げ袋１０の特に底部（即ち、ガセット部１）と把手部３とホールド部４とによってガセット稜線方向Ｘ回りで絞り込まれることになる。そして、容器１１が手提げ袋１０によって絞り込まれることによって摩擦力が増して容器１１と手提げ袋１０との間の滑りが防止され、容器１１がパックされる。したがって、複数の容器１１を積み重ねた場合でも、これら積み重ねられた容器１１に絞り込み効果によって手提げ袋１０が密着し、容器１１がパッケージされて確実にホールドされる。
【００６７】
以上のように構成された水平保持手提げ袋１０によれば、側壁部２に切れ目，凹凸，針孔などを設けることが無いので、手提げ袋としての強度が損なわれることが無いと共に、収容物の形状に関係なく当該収容物の水平姿勢保持機能が発揮される。
【００６８】
また、水平保持手提げ袋１０によれば、底部（即ち、ガセット部１）に封止線・封止部が無いようにすることができ、また、底部に封止線・封止部がたとえ設けられたとしても、封止線・封止部の存在に影響を受けることが全く無い若しくは殆ど無いので、弁当容器のように比較的肉薄の直方体形状の一側面を封止線・封止部に当てて収容物が垂直姿勢になってしまうことを防止することができる。
【００６９】
また、水平保持手提げ袋１０によれば、底部（ガセット部１）には封止線・封止部が無いようにすることができるので、また、底部に封止線・封止部がたとえ設けられたとしても中に物を収容した際の袋の形状が底部の封止線・封止部の寸法に影響を受けることが全く無い若しくは殆ど無いので、収容物のサイズや形状に対応・適合し密着して収容・包装することができ、持ち運び時の手提げ袋に対する収容物の位置を固定し水平姿勢を保持することができる。特に、手提げ袋１０によってガセット稜線方向Ｘ回りで絞り込まれることにより、容器１１が一つであっても複数であっても、さらに大きさや形状が異なる複数の容器であっても、容器１１をパックし確実にホールドして位置を固定し姿勢を保持することができ、持ち運び時の手提げ袋に対する収容物の位置ずれや姿勢の乱れを確実に防止することができる。
【００７０】
上述の本発明に特有の効果を従来の手提げ袋と対比して説明する。まず、従来の手提げ袋は通常は、図６(Ａ)に示すように、対向する前後壁部２２，２２と、これら対向する前後壁部２２，２２それぞれの側端と連接すると共にこれら対向する前後壁部２２，２２に挟まれて対向する側壁部を構成するガセット部２１，２１と、前後壁部２２，２２とこれらに挟まれるガセット部２１，２１とを一緒に下端において封止する熱融着などによる下端封止部２５と、当該下端封止部２５と対向する開口端２４と、両ガセット部２１，２１のそれぞれから連接して上方に延出する把手部２３，２３とを有する。
【００７１】
この従来の手提げ袋２０の中に物を収容して両方の把手部２３，２３を合わせて掴んで持ち上げると、収容物の自重によって把手部２３，２３と下端封止部２５との間に下端封止部２５の方向と直交する方向（図６(Ａ)中の矢印Ｔの方向）に引っ張り力が生じる。このとき、従来の手提げ袋２０では、下端に封止部２５が形成されていることによって前後壁部２２，２２が閉じ合わされ且つガセット部２１，２１も前後壁部２２，２２に挟まれて畳まれた上で前後壁部２２，２２とまとめて閉じ合わされて拡がりが制限されるため、把手部２３，２３と下端封止部２５との間に引っ張り力が作用すると前後壁部２２，２２同士を閉じ合わせようとする力が生じ、さらに、ガセット部２１，２１にも前後壁部２２，２２の間に挟もうとし且つ閉じ合わせようとする力が生じる。
【００７２】
このように、従来の手提げ袋２０の場合には、下端（即ち、使用時における底部）に封止部２５があるために前後壁部２２，２２及びガセット部２１，２１が閉じ合わされて拡がりが制限され、尚且つ、袋の中に物を収容して持ち上げて把手部２３，２３と下端封止部２５との間に引っ張り力が生じると当該引っ張り力の方向Ｔと直交する方向の下端封止部２５を集約の中心として前後壁部２２，２２及びガセット部２１，２１が閉じ合わさろうとする。これにより、袋の中の物は、立体三方向（縦，横，高さ）の各寸法のうち長い方から上位二方向で構成される面を前後壁部２２，２２に沿わせる姿勢（言い換えると、下端封止部２５上に袋の中の物の一側面が沿う形での垂直姿勢）になる。したがって、例えば弁当や総菜の包装容器のように立体三方向の各寸法のうち長い方から上位二方向で構成される面を通常は水平に保つことが好ましい容器であっても、従来の手提げ袋２０では、持ち運んでいる間に長い方から上位二方向で構成される面が前後壁部２２，２２に沿う姿勢、即ち垂直姿勢になってしまう。
【００７３】
これに対して本発明の水平保持手提げ袋１０では、使用時における底部がガセット部１によって構成され且つ当該ガセット部１の稜線方向Ｘの両端に把手部３及びホールド部４が形成される構成であるため、ホールド部４を通過させた把手部３を掴んで持ち上げた際に引っ張り力が作用する方向（図７(Ａ)中の矢印Ｔの方向）がガセット稜線方向Ｘと同じであり、尚且つ、使用時における底部の両端に設けられる把手部３とホールド部４との間に封止部が無いようにすることができるので、また、底部に封止部がたとえ設けられたとしてもその封止部が使用時における底部に作用する引っ張り力の方向Ｔと直交しない方向であれば、対向する側壁部２，２やガセット部１を閉じ合わせようとする力が生じることがない。したがって、本発明の水平保持手提げ袋１０によれば、手提げ袋１０内に収容した物の当初の姿勢を持ち運んでいる間中保つことができる。
【００７４】
これら従来の手提げ袋２０と本発明の水平保持手提げ袋１０との包装・吊り態様の違いは、吊り具を用いてクレーンなどで荷役運搬を行う場合の荷掛けに喩えると、従来の手提げ袋２０による包装・吊り態様は半掛けであり（図６(Ｂ)参照）、それに対して本発明の水平保持手提げ袋１０による包装・吊り態様は目通し（絞り、チョークとも呼ばれる）である（図７(Ｂ)参照）と言える。そして、例えばワイヤーロープを用いて行う荷掛け（玉掛けとも呼ばれる）においては、技術的な知識として、半掛けは最も単純な掛け方ではあるものの吊りの状況によってワイヤロープが滑り易くなって不安定な吊り方になると理解されており、一方で、目通しは吊り荷が絞り込まれることによって摩擦力が増して吊り荷とワイヤロープとの滑りを防止することができると理解されている。
【００７５】
また、複数の容器が、特に言えば大きさが異なる複数の容器が積み重ねられた場合でも、本発明の水平保持手提げ袋１０の包装・吊り態様である目通しでは、手提げ袋１０は容器各々の大きさや形状に対応・適合した形態になって各容器と接触・密着することが可能であり（図７(Ｃ)参照）、すなわち、たとえ大きさが異なる複数の容器が積み重ねられた場合でもそれら容器を一括りでまとめてパックし確実にホールドして固定し積み重ねられたままの姿勢を安定して保持することができる。
【００７６】
また、上述の実施形態の水平保持手提げ袋１０では、使用時における底部が対向する側壁部２，２と一体であるガセット部１によって形成されてこれら側壁部２，２との境界を含めて封止部が無く完全にシームレスに構成することもできるので、矩形や円形などあらゆる形状且つ幅広い大きさの容器に対して底部を密着させることが可能であり、手提げ袋１０内に収容した物の当初の姿勢を持ち運んでいる間中安定的に保つことができる。
【００７７】
また、従来の手提げ袋２０の場合には、二つの把手部２３，２３を一緒に持つことが必要であり、一方の把手部２３のみを持って袋を持ち上げてしまうと袋の姿勢が斜めになったり収容物が零れ落ちたりしてしまう。これに対して本発明の水平保持手提げ袋１０では、一つの把手部３を持つだけで、ホールド部４の働きにもより、袋の形状が収容物のサイズや形状に対応・適合し密着して収容・包装することができると共に袋の姿勢を保つことができる。したがって、本発明の水平保持手提げ袋１０によれば、持ち運びの際の取り扱い易さの向上を図ることができる。
【００７８】
なお、上述の形態は本発明の好適な形態の一例ではあるが本発明の具体的な実施の形態がこれに限定されるものではなく、本発明の要旨を逸脱しない範囲において種々変形実施可能である。例えば、本発明の水平保持手提げ袋の形状・形態は、上述の実施形態として図１乃至図５に示した具体的な形状・形態に限定されるものではなく、具体的な形状・形態は適宜アレンジされて良い。具体的には例えば、図８に示すように、カバー部６のうちの側壁部２側部分の側端から把手部３やホールド部４に向かってひだ６ｂを設けるようにしても良い。この場合には、把手部３をホールド部４の穴部４ｃに挿入して容器１１を覆い囲む際に、カバー部６と側壁部２との連接部の側方においてこれらカバー部６と側壁部２とによって覆われない隙間が生じてしまうことを防ぐことができる。また、カバー部６の形状などを、下底が側壁部２部分を超えて把手部３とホールド部４とにまで及ぶような台形にしても良いし（図９）、或いは、把手部３側を図s９と同様に台形態様にすると共にホールド部４側にひだ６ｂを設けるようにしても良いし（図１０）、下辺が側壁部２部分を超えて把手部３とホールド部４とにまで及ぶような長方形にしても良い。なお、図８〜図１０において、符号１２の一点鎖線及び点線は把手部３の封止部３ａの移動の軌跡を表す。
【００７９】
また、上述の実施形態では把手部３をホールド部４の穴部４ｃに通してこれら把手部３及びホールド部４も使って容器１１を覆い囲って絞り込むようにしているが、把手部３及びホールド部４も使っての容器１１の絞り込みのための構造は上述の実施形態に限られるものではなく、図１１に示すように、ホールド部４の封止部４ａに当該封止部４ａを切断するように、対向する側壁部２，２及びガセット部１を全て切り欠いて設けられる切り欠き１３を形成するようにしたり、或いは、図１２に示すように、ホールド部４の封止部４ａ寄りの位置に、対向する側壁部２，２及びガセット部１を貫通する孔１４を形成するようにしても良い。なお、切り欠き１３の形状は、図１１の例のように半円形に限られるものではなく、矩形や楕円形や、或いは線状（即ち、切り込み状）であっても構わないし、また、孔１４の形状は、図１２の例のように円形に限られるものではなく、矩形や楕円形や、或いは線状であっても構わない。そして、切り欠き１３が形成された場合には、ホールド部４の封止部４ａの切り欠き１３に把手部３の封止部３ａを挿入し、ホールド部４を構成している対向する側壁部２・ガセット部１からの延出部分（表面側）と側壁部２・ガセット部１からの延出部分（裏面）との間を通過させてこれら側壁部２・ガセット部１からの延出部分の下端側から引き出し、把手部３のみを掴んで持ち上げて水平保持手提げ袋１０を使用する（図１１において、符号１２の一点鎖線及び点線は把手部３の封止部３ａの移動の軌跡を示す）。また、孔１４が形成された場合には、孔１４に把手部３の封止部３ａを挿入し、ホールド部４を構成している対向する側壁部２・ガセット部１からの延出部分（表面側）と側壁部２・ガセット部１からの延出部分（裏面）との間を通過させてこれら側壁部２・ガセット部１からの延出部分の下端から引き出し、把手部３のみを掴んで持ち上げて手提げ袋１０を使用する（図１２において、符号１２の一点鎖線及び点線は把手部３の封止部３ａの移動の軌跡を示す）。なお、上述の説明では把手部３を対向する側壁部２・ガセット部１からの延出部分と側壁部２・ガセット部１からの延出部分との間を通過させるようにしているが、把手部３を孔１４を完全に通過させるようにしても良い。すなわち、図１２において、把手部３を手前の側壁部２側から挿入して奥の側壁部２側へと貫通させるようにしても良い。
【００８０】
また、上述の実施形態ではガセット部１と側壁部２と把手部３とホールド部４とカバー部６との全てを一体として構成する（言い換えると、一部材で形成する）ようにしているが、これらの一部を別体として構成して（言い換えると、別部材で形成して）取り付けるようにしたり、これらの各部各々を別体として構成して（言い換えると、別部材で形成して）組み立てるようにしたりしても良い。そしてこの場合、各部を異なる材質で構成するようにしても良い。特に、接着や縫製を行うことが可能な材質を用いる場合には、把手部３やホールド部４は、素材効率を高めるために、具体的には把手部３やホールド部４を別部材とすることによって両端切取部分１６Ａという無駄部分の発生を防ぐために、別パーツで構成するようにしても良い。
【００８１】
そして、別体のパーツを取り付けるようにしたり組み立てるようにしたりする場合には特に、把手部３やホールド部４の働きをするものとして、また、図１１に示す例における切り欠き１３や図１２に示す例における孔１４の働きをするものとしてベルト状のパーツを用いるようにしても良い。具体的には、図１３に示すように、ガセット部１のガセット稜線方向Ｘにおける両端部の、山折り稜線１ａから両側谷部へと向かう部分に、ベルト状部材の両端部を取り付けるように、具体的には例えば不織布や布で作成されたベルト状部材を縫製によって取り付けるようにしても良い。図１３に示す例では、ガセット部１のガセット稜線方向Ｘにおける一方の側にベルト１９Ａが取り付けられ、他方の側にベルト１９Ｂ（ベルト１９Ａよりも短い）が取り付けられる。長い方のベルト１９Ａは把手部３のうちの一部として機能し、短い方のベルト１９Ｂはホールド部４のうちの一部として機能すると共に切り欠き１３や孔１４として機能する。長い方のベルト１９Ａは両端がガセット部１に取り付けられてループ状になっている。また、短い方のベルト１９Ｂも両端がガセット部１に取り付けられると共に、長い方のベルト１９Ａを通過させるための空間（言い換えると孔）が、縫製などによりベルト１９Ｂの途中箇所を止め付けることによって複数形成される（図１３に示す例では二つの孔ａ，ｂが形成されている）ようにしても良い。これにより、短い方のベルト１９Ｂにおける長い方のベルト１９Ａを通過させる空間(孔)を収容物の形状・大きさや量に合わせて選択することができるので、多様な収容物に対して良好なホールド性を発揮して対応することが可能になる（なお、図１３において、符号１２の一点鎖線及び点線は把手部３の先端の移動の軌跡を示す）。さらに、図１３に示す例では、カバー部６の上端に縫製によって恒久的な封止部６ａが形成されるようにしているが、カバー部６同士は、全く封止されていないようにしても良いし、マジックテープ（登録商標）などによって着脱自在（開閉自在）であるように構成されても良い。
【００８２】
また、例えばエコバッグのように複数回繰り返しての利用が想定される場合などには、使い勝手をより一層向上させるために仕様を追加するようにしても良い。例えば、側壁部２やカバー部６などに、ガムやチョコ等の小物が収納できるポケットや、スナック等の袋菓子が収納できるネットポケットなどを設けても良い。また、持ち易さを向上するために把手を筒状の芯材で形成しても良い。
【符号の説明】
【００８３】
１  ガセット部（袋の底部）
１ａ  山折り稜線
２  側壁部
３  把手部
３ａ  封止部
３ｂ  自由端
３ｃ  穴部
４  ホールド部
４ａ  封止部
４ｂ  自由端
４ｃ  穴部
１０  水平保持手提げ袋
【図１】
2014136602.tif 000003
【図２】
2014136602.tif 000004
【図３】
2014136602.tif 000005
【図４】
2014136602.tif 000006
【図５】
2014136602.tif 000007
【図８】
2014136602.tif 000008
【図９】
2014136602.tif 000009
【図１０】
2014136602.tif 000010
【図１１】
2014136602.tif 000011
【図１２】
2014136602.tif 000012
【図１３】
2014136602.tif 000013
【図６】
2014136602.tif 000014
【図７】
2014136602.tif 000015